(57)【要約】【課題】  一方の扉体が開かれた状態であっても閉じられた扉体に覆われた配線器具への異物の到達が抑えられるフロアプレート及び該フロアプレートを用いた配線器具装置を提供する。【解決手段】  配線器具３，４を保持する２個の保持枠１１を有するプレート本体１と、配線器具３，４を覆う閉位置と配線器具３，４を露出させる開位置との間でプレート本体１に対して回転可能に取り付けられた扉体２とを備える。プレート本体１には、保持枠１１に挟まれた位置において、配線器具３，４よりも一部を上方に突出させる形で各扉体２を収納するポケット１２が設けられている。一方の扉体２のみが閉位置とされ、他方の扉体２がポケット１２に収納された場合であっても、閉位置にある扉体２の下面と配線器具の上面との間の隙間からの異物の侵入は、上記他方の扉体２の上端部によって阻止される。【選択図】図１
2015019460.tif 000002
【特許請求の範囲】
【請求項１】
それぞれ配線器具を上方に向けて保持する２個の保持部を有して床面に埋込配設されるプレート本体と、
前記保持部に一対一に対応して２個設けられ、対応する前記保持部に保持された前記配線器具の上側を覆う閉位置と、対応する前記保持部に保持された前記配線器具を上方に露出させる開位置との間で前記プレート本体に対して回転可能に取り付けられた扉体とを備え、
前記プレート本体は２個の前記扉体を前記保持部間に収納する扉収納部を有し、
前記扉収納部に収納された前記扉体は、前記保持部に保持された前記配線器具よりも一部を上方に突出させることを特徴とするフロアプレート。
【請求項２】
請求項１記載のフロアプレートと、
それぞれ１個ずつの前記保持部に保持された２個の前記配線器具とを備えることを特徴とする配線器具装置。
【請求項３】
前記扉体は絶縁材料からなり、
一方の前記保持部に保持された前記配線器具は強電用であって、
他方の前記保持部に保持された前記配線器具は弱電用であることを特徴とする請求項２記載の配線器具装置。
【発明の詳細な説明】
【技術分野】
【０００１】
本発明は、フロアプレート及び該フロアプレートを用いた配線器具装置に関するものである。
【背景技術】
【０００２】
従来から、床面に配線器具を埋込配設する際に用いられるフロアプレートが提供されている（例えば、特許文献１参照）。
【０００３】
フロアプレートは、配線器具が機能面を上方に向けて取り付けられるプレート本体と、配線器具の機能面を覆う閉位置と配線器具の機能面を露出させる開位置との間でプレート本体に対して回転可能に取り付けられた扉体とを備える。ここで、機能面とは、配線器具を使用するために露出させるべき面を指す。例えば、配線器具がプラグを挿入接続されるコンセントである場合には、プラグが挿入される挿入口が開口した面が機能面である。配線器具が使用されるときには扉体を開位置とすることで機能面を露出させることができ、配線器具が使用されないときには扉体を閉位置とすることで機能面を埃などの異物から保護することができる。
【０００４】
扉体は扁平な形状であって、閉位置においては厚さ方向を上下方向に向け、開位置においては厚さ方向を水平方向に向けるように、一端部においてプレート本体に対し回転可能に連結される。さらに、プレート本体において扉体の回転軸の下方には、開位置にある扉体が下方に押し込まれることで収納される扉収納部が設けられる。
【先行技術文献】
【特許文献】
【０００５】
【特許文献１】特開２００３−６１２２９号公報
【発明の概要】
【発明が解決しようとする課題】
【０００６】
上記のフロアプレートに２個の配線器具が取り付けられ、且つ、扉体と扉収納部とが配線器具毎に設けられる場合であって、２個の扉収納部が２個の配線器具を挟んで互いに異なる側に設けられる場合（つまり扉体が観音開きとされる場合）を考える。
【０００７】
この場合、一方の配線器具のみが使用される場合には、他方の（つまり使用されない）配線器具については、扉体を閉位置とすることで保護し、挿入口への異物の侵入などを阻止することができる。
【０００８】
しかしながら、閉位置にある扉体の下面と、配線器具の機能面との間には隙間が空く。特に、２個の扉体の間を仕切る壁がプレート本体に設けられていない場合、第１の配線器具が扉体に覆われた状態であっても、第２の配線器具側へ上記の隙間が開放されることで、上記の隙間を通じて埃などの異物が第１の配線器具の機能面に到達する可能性がある。
【０００９】
本発明は、上記事由に鑑みて為されたものであり、その目的は、一方の扉体が開かれた状態であっても閉じられた扉体に覆われた配線器具への異物の到達が抑えられるフロアプレート及び該フロアプレートを用いた配線器具装置を提供することにある。
【課題を解決するための手段】
【００１０】
本発明のフロアプレートは、それぞれ配線器具を上方に向けて保持する２個の保持部を有して床面に埋込配設されるプレート本体と、前記保持部に一対一に対応して２個設けられ、対応する前記保持部に保持された前記配線器具の上側を覆う閉位置と、対応する前記保持部に保持された前記配線器具を上方に露出させる開位置との間で前記プレート本体に対して回転可能に取り付けられた扉体とを備え、前記プレート本体は２個の前記扉体を前記保持部間に収納する扉収納部を有し、前記扉収納部に収納された前記扉体は、前記保持部に保持された前記配線器具よりも一部を上方に突出させることを特徴とする。
【００１１】
本発明の配線器具装置は、上記のフロアプレートと、それぞれ１個ずつの前記保持部に保持された２個の前記配線器具とを備えることを特徴とする。
【００１２】
上記の配線器具装置において、前記扉体は絶縁材料からなり、一方の前記保持部に保持された前記配線器具は強電用であって、他方の前記保持部に保持された前記配線器具は弱電用であることが望ましい。
【発明の効果】
【００１３】
本発明によれば、一方の扉体のみが閉位置とされ、他方の扉体が扉収納部に収納された場合であっても、閉位置にある扉体の下面と配線器具の上面との間の隙間からの異物の侵入は、上記他方の扉体の上端部によって阻止される。また、２個の配線器具を挟む両側に扉収納部が設けられる場合に比べ、扉収納部が配線器具への配線作業の邪魔になりにくい。
【図面の簡単な説明】
【００１４】
【図１】（ａ）〜（ｃ）はそれぞれ本発明の実施形態を示す斜視図であり、（ａ）は各扉体がそれぞれ閉位置にある状態を示し、（ｂ）は各扉体がそれぞれ開位置にある状態を示し、（ｃ）は各扉体がそれぞれポケットに収納された状態を示す。
【図２】同上を示す分解斜視図である。
【図３】（ａ）〜（ｆ）はそれぞれ同上において各扉体がそれぞれ閉位置にある状態を示し、（ａ）は平面図、（ｂ）は正面図、（ｃ）は背面図、（ｄ）は右側面図、（ｅ）は左側面図、（ｆ）は底面図である。
【図４】同上において各扉体がそれぞれ閉位置にある状態を示す断面図である。
【図５】同上において各扉体がそれぞれ開位置にある状態を示す平面図である。
【図６】同上の変更例において各扉体がそれぞれ開位置にある状態を示す平面図である。
【図７】同上の別の変更例において各扉体がそれぞれ開位置にある状態を示す平面図である。
【図８】同上の更に別の変更例において各扉体がそれぞれ開位置にある状態を示す平面図である。
【発明を実施するための形態】
【００１５】
本発明のフロアプレートは、それぞれ配線器具３，４を上方に向けて保持する２個の保持部（保持枠１１）を有して床面に埋込配設されるプレート本体１と、保持部（保持枠１１）に一対一に対応して２個設けられた扉体２とを備える。各扉体２は、それぞれ、対応する保持部（保持枠１１）に保持された配線器具３，４の上側を覆う閉位置と、対応する保持部（保持枠１１）に保持された配線器具３，４を上方に露出させる開位置との間でプレート本体１に対して回転可能に取り付けられている。プレート本体１は２個の扉体２を保持部（保持枠１１）間に収納する扉収納部（ポケット１２）を有する。扉収納部（ポケット１２）に収納された扉体２は、保持部（保持枠１１）に保持された配線器具３，４よりも一部を上方に突出させる。
【００１６】
本発明の配線器具装置は、上記のフロアプレートと、それぞれ１個ずつの保持部（保持枠１１）に保持された２個の配線器具３，４とを備える。
【００１７】
上記の配線器具装置において、扉体２は絶縁材料からなり、一方の保持部（保持枠１１）に保持された配線器具３は強電用であって、他方の保持部（保持枠１１）に保持された配線器具４は弱電用であることが好ましい。
【００１８】
以下、本発明を実施するための最良の形態について、図面を参照しながら説明する。
【００１９】
本実施形態は、図１及び図２に示すように、２個の配線器具３，４をそれぞれ機能面を上方に向けて保持するプレート本体１と、プレート本体１に対して回転可能に取り付けられた２個の扉体２とを備える。
【００２０】
以下、図２におけるＡＢＣＤＥＦ方向をそれぞれ上下左右前後方向と呼ぶ。すなわち、２個の配線器具３，４が並ぶ方向を左右方向と呼び、この左右方向と上下方向とに直交する方向を前後方向と呼ぶ。
【００２１】
具体的に説明すると、各扉体２は、それぞれ例えば樹脂のような絶縁材料からなり、ほぼ長方形の平板からなる本体部２１と、本体部２１の短手方向の一端部から長手方向の両側へ突設された軸凸部２２とを有する。各扉体２は、軸凸部２２をプレート本体１に軸支されている。これにより、各扉体２は、図１（ａ）や図３，図４に示すように本体部２１の厚さ方向を上下方向に向けて配線器具３，４の上側を覆う閉位置と、図１（ｂ）や図５に示すように本体部２１の厚さ方向を左右方向に向ける開位置との間で、プレート本体１に対して回転可能となっている。
【００２２】
また、扉体２の本体部２１において閉位置で下向きとされる面には、扉体２によって覆われる配線器具３，４の種別等が記載されたネームプレート２０が保持される。扉体２は例えばアクリル樹脂のような透明な材料で構成されており、ネームプレート２０の記載内容は扉体２の本体部２１を通じて確認される。ネームプレート２０を本体部２１に保持させる手段としては、嵌合や貼着などの適宜の手段を用いることができる。
【００２３】
また、プレート本体１は、それぞれ上方から見て配線器具３，４を囲む枠状であって配線器具３，４を保持する保持部としての２個の保持枠１１を備える。各保持枠１１はそれぞれ例えば樹脂からなる。
【００２４】
各配線器具３，４は、ぞれぞれ、ＪＩＳ  Ｃ  ８３０４に規定された３個モジュールの寸法形状とされている。
【００２５】
左側の保持枠１１に保持された配線器具３は、電源用のプラグの栓刃（図示せず）が挿入される３個１組の挿入口３０を２組有する電源用コンセントである。上記の配線器具３の下面には、図３（ｆ）に示すように、交流電源に接続された電源線（図示せず）が挿入される電線挿入口３２が設けられている。
【００２６】
また、右側の保持枠１１に保持された配線器具４は、信号用のプラグ（いわゆるモジュラープラグ。図示せず）が挿入される挿入口４０を２個有する信号用コンセントである。上記の配線器具４の下面には、図３（ｆ）に示すように、床下を引き回されたケーブル（例えばＬＡＮケーブル）の一端部が接続されるケーブル接続部４２が設けられている。上記のような配線器具（信号用コンセント）４は周知のモジュラージャックを用いて実現可能であるので、詳細な説明は省略する。
【００２７】
つまり、一方の配線器具３は強電用（主に電力の伝送を目的とし、入力電圧と出力電圧とがともに例えば１００Ｖ以上のもの）であって、他方の配線器具４は弱電用（主に信号の伝送を目的とし、入力電圧と出力電圧とがともに例えば１０Ｖ未満のもの）である。
【００２８】
各保持枠１１において左右に対向する部位には、それぞれ、取付穴１１０が前後に並べて６個ずつ設けられている。各配線器具３，４の左右両面にはそれぞれ複数個ずつの取付爪３１，４１が左右方向の外向きに突設されており、各配線器具３４は、各取付爪３１，４１をそれぞれ取付穴１１０に嵌め込まれることで、保持枠１１に保持される。
【００２９】
また、プレート本体１は、２個の保持枠１１の間に保持されて２個の扉体２を収納可能な扉収納部を構成するポケット１２を備える。ポケット１２は例えば樹脂からなる。ポケット１２は、各扉体２の本体部２１の中央部を厚さ方向を左右方向に向けて収納する本体部１２１と、本体部１２１の前後両端部にそれぞれ設けられて各扉体２の本体部２１の前後両端部と軸凸部２２とをそれぞれ収納するガイド部１２２とを有する。各ガイド部１２２はそれぞれ本体部１２１よりも上方と左右方向とに突出している。
【００３０】
さらに、プレート本体１は、各保持枠１１とポケット１２とをそれぞれ保持する結合枠１３を備える。結合枠１３は例えば金属からなる。結合枠１３は、各保持枠１１とポケット１２とがそれぞれ上方から挿通される貫通穴である挿通穴１３０を中央部に有する。
【００３１】
また、結合枠１３は、挿通穴１３０の前後両側にそれぞれ設けられて挿通穴１３０の左右方向の中央部に連通する結合切欠き１３２を有する。ポケット１２の各ガイド部１２２は、それぞれ結合切欠き１３２に挿通される。各ガイド部１２２の上端部の左右両面には、それぞれ、結合枠１３を上下方向において挟む結合凸部１２３，１２４が突設されている。すなわち、結合凸部１２３，１２４が、結合枠１３において結合切欠き１３２の左右両側の部位を上下から挟むことで、ポケット１２は結合枠１３に結合している。下側の結合凸部１２４の左右方向の外側の面は、上方に向かって突出寸法を大きくする方向に傾斜した傾斜面となっている。ポケット１２を結合枠１３に取り付ける際には、ガイド部１２２を上方から結合切欠き１３２に押し込むと、上記の傾斜面が結合切欠き１３２の左右両側の部位を押すことで結合枠１３が一時的に弾性変形する。やがて下側の結合凸部１２４が結合枠１３の下側に至ると結合枠１３が弾性復帰して結合凸部１２３，１２４間に係入し、ここにおいて結合枠１３に対するポケット１２の取付が完了する。
【００３２】
さらに、結合枠１３は、上下に貫通した貫通穴である係合穴１３１を、各結合切欠き１３２の左右両側に有する。各保持枠１１の前後両端部にはそれぞれ係合爪１１１が下方に突設されており、各保持枠１１は、各係合爪１１１がそれぞれ係合穴１３１に上方から嵌め込まれることによって結合枠１３に結合している。
【００３３】
また、プレート本体１は、上方から見て結合枠１３を覆うフラッシュプレート１４を備える。フラッシュプレート１４は例えば樹脂からなり、扉体２によって開閉される貫通穴である窓穴１４０を中央部に有する矩形枠状である。窓穴１４０の内周面の右前端部と左後端部とにはそれぞれ上下に開口した環形状のねじ挿通部１４１が突設されている。フラッシュプレート１４は、それぞれ１個ずつのねじ挿通部１４１に上方から挿通されて結合枠１３のねじ穴１３３にねじ込まれる２個のねじ５１や、結合枠１３の左後端部に設けられたねじ挿通穴１３４に下方から挿通されてフラッシュプレート１４にねじ込まれるねじ５２により、結合枠１３に対してねじ止め固定されている。
【００３４】
さらに、フラッシュプレート１４の窓穴１４０の前後両側において、左右方向の中央部には、前後方向の内側と下方とに開放された軸受凹部１４２が設けられている。各扉体２は、それぞれ、軸受凹部１４２の内面に軸凸部２２が軸支されることで、プレート本体１に対し、前後方向に平行な軸周りに回転可能に連結されている。
【００３５】
また、フラッシュプレート１４の窓穴１４０の左右両側において、前後方向の中央部には、左右方向の内側と上方とに開放された操作用凹部１４３が設けられている。閉位置にある扉体２を開位置に回転させる際には、操作用凹部１４３を通じて挿入した爪等を扉体２に引っ掛けることができる。
【００３６】
プレート本体１は、例えばＪＩＳ  Ｃ  ８４３５に規定されたスイッチボックス６を用いて床面（図示せず）に埋込配設される。スイッチボックス６は、全体として上方が開口した直方体形状であり、開口の前後両側には、それぞれ上方に開口したねじ穴を有するねじ止め部６１が設けられている。結合枠１３において、結合切欠き１３２の上下方向の外側には、それぞれねじ挿通穴１３５が設けられている。結合枠１３は、上記のねじ挿通穴１３５に上方から挿通されてスイッチボックス６のねじ止め部６１にねじ込まれる２個のねじ５３により、スイッチボックス６にねじ止め固定される。また、結合枠１３の下側には、結合枠１３の下面の外周端部に全周にわたって密着する環形状のパッキン５０が配置される。
【００３７】
以下、本発明の特徴部分について説明する。既に説明した通り、各扉体２は、それぞれ、図１（ａ）や図３，図４のように本体部２１の厚さ方向を上下方向に向けた閉位置と、図１（ｂ）や図５のように本体部２１の厚さ方向を左右方向に向けた開位置との間で、プレート本体１に対して回転可能となっている。
【００３８】
扉体２が閉位置にある状態では、上方から見て配線器具３，４は扉体２に覆われる。また、扉体２が開位置にある状態では、配線器具３，４の上面（挿入口３０，４０を有する機能面）は上方に露出する。さらに、開位置にある扉体２を図１（ｂ）に矢印Ａ１で示すように下方へ押し込んで平行移動させることで、図１（ｃ）に示すように扉体２をポケット１２内に収納することができる。扉体２がポケット１２に収納される際には、扉体２は、中央部が本体部１２１に到達する前には前後両端部をガイド部１２２によってガイドされる。
【００３９】
図１（ｃ）のように扉体２がポケット１２に収納された状態（つまり、本体部２１の厚さ方向を左右方向に向けた状態での扉体２の可動範囲の下端）では、扉体２の上端部は、保持枠１１に保持された配線器具３，４の上面（機能面）よりも上方に突出する。
【００４０】
上記構成によれば、一方の扉体２のみが閉位置とされ、他方の扉体２がポケット１２に収納された場合であっても、閉位置にある扉体２の下面と配線器具の上面（機能面）との間の隙間からの異物の侵入は、上記他方の扉体２の上端部によって阻止される。
【００４１】
また、２個の配線器具３，４を挟む両側にポケット１２が設けられる場合に比べ、ポケット１２が配線器具３，４への配線作業の邪魔になりにくい。
【００４２】
なお、プレート本体１の部品構成は上記に限られず、例えば保持枠１１とポケット１２と結合枠１３とのうちの複数個が一体化されて１個の部品とされてもよい。
【００４３】
また、配線器具３，４は上記のものに限られない。例えば、強電用の配線器具３としては、図５等ではＢ型（アース付きＡ型とも呼ばれる）の電源コンセントを示しているが、図６に示すＦ型（ＳＥ型とも呼ばれる）など、別の型の電源コンセントを用いてもよい。また、弱電用の配線器具４としては、６極２芯や６極４芯といった電話用のモジュラジャックを有するものであってもよいし、８極８芯のＬＡＮ用のモジュラジャックを有するものであってもよいし、複数種類のモジュラジャックを有するものであってもよい。
【００４４】
また、保持枠１１には、３個モジュール寸法の配線器具３，４に代えて、１個モジュール寸法の配線器具が複数個取り付けられてもよい。
【００４５】
さらに、一方の保持枠１１に強電用の配線器具３を取り付けて他方の保持枠１１に弱電用の配線器具４を取り付ける代わりに、図７や図８に示すように両方の保持枠１１に強電用の配線器具３を取り付けてもよい。または、両方の保持枠１１に弱電用の配線器具４を取り付けてもよい。
【００４６】
本実施形態では、保持枠１１間に収納される扉体２が絶縁材料からなるので、一方の保持枠１１に強電用の配線器具３が保持され、他方の保持枠１１に弱電用の配線器具４が保持された場合であっても、これら配線器具３，４間の絶縁が扉体２によって確保される。
【符号の説明】
【００４７】
１  プレート本体
２  扉体
３  （強電用の）配線器具
４  （弱電用の）配線器具
１１  保持枠（保持部）
１２  ポケット（扉収納部）
【図１】
2015019460.tif 000003
【図２】
2015019460.tif 000004
【図３】
2015019460.tif 000005
【図４】
2015019460.tif 000006
【図５】
2015019460.tif 000007
【図６】
2015019460.tif 000008
【図７】
2015019460.tif 000009
【図８】
2015019460.tif 000010